【手続補正書】
【提出日】平成27年4月28日(2015.4.28)
【手続補正１】
【補正対象書類名】特許請求の範囲
【補正対象項目名】全文
【補正方法】変更
【補正の内容】
【特許請求の範囲】
【請求項１】
以下の式の化合物を調製するプロセスであって、
【化１】
2012251145.tif 000001
式中、
（ａ）Ｒ１およびＲ１’は、互いに同じであってもよく、互いに異なっていてもよく、ここで、Ｒ１およびＲ１’は、
（ｉ）置換でも非置換でも良く、ヘテロ原子が存在していてもよい、アルキル、
（ｉｉ）置換でも非置換でも良く、ヘテロ原子が存在していてもよい、アリール、
（ｉｉｉ）置換でも非置換でも良く、ヘテロ原子が存在していてもよい、アリールアルキル、または
（ｉｖ）置換でも非置換でも良く、ヘテロ原子が存在していてもよい、アルキルアリールであり、
但し、
（Ａ）Ｒ１およびＲ１’のうち、少なくとも１つは芳香族基を含み、
（Ｂ）Ｒ１およびＲ１’は、どちらも光開始基を含まず、
（ｂ）Ｒ２およびＲ２’は、互いに同じであってもよく、互いに異なっていてもよく、ここで、Ｒ２およびＲ２’は、それぞれ互いに独立して、
（ｉ）置換でも非置換でも良く、ヘテロ原子が存在していてもよい、アルキレン、
（ｉｉ）置換でも非置換でも良く、ヘテロ原子が存在していてもよい、アリーレン、
（ｉｉｉ）置換でも非置換でも良く、ヘテロ原子が存在していてもよい、アリールアルキレン、または
（ｉｖ）置換でも非置換でも良く、ヘテロ原子が存在していてもよい、アルキルアリーレンであり、
（ｃ）Ｒ３は、
（ｉ）置換でも非置換でも良く、ヘテロ原子が存在していてもよい、アルキレン、
（ｉｉ）置換でも非置換でも良く、ヘテロ原子が存在していてもよい、アリーレン、
（ｉｉｉ）置換でも非置換でも良く、ヘテロ原子が存在していてもよい、アリールアルキレン、または
（ｉｖ）置換でも非置換でも良く、ヘテロ原子が存在していてもよい、アルキルアリーレンであり、
（ｄ）ｎは、繰り返しモノマー単位の数をあらわし、
このプロセスは、
（Ｉ）式ＨＯＯＣ−Ｒ２−ＣＯＯＨで表される二酸と、式Ｈ２Ｎ−Ｒ３−ＮＨ２で表されるジアミンとを反応させ、式ＨＯＯＣ−Ｒ２−ＣＯＮＨ−Ｒ３−ＨＮＣＯ−Ｒ２’−ＣＯＯＨで表される末端が酸のオリゴアミド中間体を得ることと、
（ＩＩ）末端が酸の前記オリゴアミド中間体と、式Ｒ１−ＯＨで表されるモノアルコールとを、
（ａ）次のいずれかである触媒が存在し、
（ｉ）スズ触媒、
（ｉｉ）有機チタネート触媒、
（ｂ）カップリング剤は存在せず、
（ｃ）溶媒も存在しない状態で反応させ、生成物を得ることと、を含み、調製により得られた前記化合物は、多分散度が３以下である、プロセス。
【請求項２】
前記二酸と前記ジアミンとを反応させ、末端が酸の前記オリゴアミド中間体を得る前記反応が、溶媒が存在しない状態で行われる、請求項１に記載のプロセス。
【請求項３】
前記触媒が、ジブチルスズオキシド、ブチルスズ酸、ブチルスズトリス−２−エチルヘキサノエート、ジブチルスズジアセテート、ジブチルスズジラウレート、ジブチルスズビス（２−エチルヘキサノエート）、ジブチルジクロロスタンナン、ブチルトリクロロスタンナン、ジブチルスズジメトキシド、ジブチルスズジブトキシド、ジブチルスズビス（１−チオグリセロール）、モノブチルスズトリクロリド、モノブチルスズトリス（２−エチルヘキシルメルカプトアセテート）、ジブチルスズビス（２−エチルヘキシルメルカプトアセテート）、トリフェニルスズヒドロキシド、ジオクチルスズビス（２−エチルヘキシル−メルカプトアセテート）、第一スズビス（２−エチルヘキサノエート）、酸化スズ、シュウ酸第一スズ、塩化第一スズ、四塩化スズ、ブチルクロロスズジヒドロキシド、テトラ−ｎ−ブチルチタネート、テトライソプロピルチタネート、テトラ−ｎ−プロピルチタネート、テトラ−２−エチルヘキシルチタネート、トリエタノールアミンチタネート、テトライソノニルチタネート、またはこれらの混合物である、請求項１に記載のプロセス。
【請求項４】
末端が酸の前記オリゴアミド中間体と前記モノアルコールとの前記反応が、前記スズ触媒または前記有機チタネート触媒以外の触媒が存在しない状態で行われる、請求項１に記載のプロセス。
【請求項５】
末端が酸の前記オリゴアミド中間体１モルあたり、前記モノアルコールが２モル以上２．７５モル以下の相対量で存在する、請求項１に記載のプロセス。
【請求項６】
末端が酸の前記オリゴアミド中間体１モルあたり、前記スズ触媒が０．０５モル以上１モル以下の相対量で存在する、請求項１に記載のプロセス。
【請求項７】
末端が酸の前記オリゴアミド中間体と前記モノアルコールとの前記反応が、９０℃以上２５０℃以下の温度で行われる、請求項１に記載のプロセス。
【請求項８】
Ｒ１およびＲ１’が互いに同じであり、Ｒ２およびＲ２’が互いに同じである、請求項１に記載のプロセス。
【請求項９】
以下の式で表される化合物を調製するプロセスであって、
【化２】
2012251145.tif 000002
式中、
（ａ）Ｒ１およびＲ１’は、互いに同じであってもよく、互いに異なっていてもよく、ここで、Ｒ１およびＲ１’はそれぞれ、
【化３】
2012251145.tif 000003
2012251145.tif 000004
【化４】
2012251145.tif 000005
であり、
（ｂ）Ｒ２およびＲ２’は、互いに同じであってもよく、互いに異なっていてもよく、ここで、Ｒ２およびＲ２’は、それぞれ互いに独立して、
（ｉ）置換でも非置換でも良く、ヘテロ原子が存在していてもよい、アルキレン、
（ｉｉ）置換でも非置換でも良く、ヘテロ原子が存在していてもよい、アリーレン、
（ｉｉｉ）置換でも非置換でも良く、ヘテロ原子が存在していてもよい、アリールアルキレン、または
（ｉｖ）置換でも非置換でも良く、ヘテロ原子が存在していてもよい、アルキルアリーレンであり、
（ｃ）Ｒ３は、
（ｉ）置換でも非置換でも良く、ヘテロ原子が存在していてもよい、アルキレン、
（ｉｉ）置換でも非置換でも良く、ヘテロ原子が存在していてもよい、アリーレン、
（ｉｉｉ）置換でも非置換でも良く、ヘテロ原子が存在していてもよい、アリールアルキレン、または
（ｉｖ）置換でも非置換でも良く、ヘテロ原子が存在していてもよい、アルキルアリーレンであり、
（ｄ）ｎは、繰り返しモノマー単位の数をあらわし、
このプロセスは、
（Ｉ）式ＨＯＯＣ−Ｒ２−ＣＯＯＨで表される二酸と、式Ｈ２Ｎ−Ｒ３−ＮＨ２で表されるジアミンとを反応させ、式ＨＯＯＣ−Ｒ２−ＣＯＮＨ−Ｒ３−ＨＮＣＯ−Ｒ２’−ＣＯＯＨで表される末端が酸のオリゴアミド中間体を得ることと、
（ＩＩ）末端が酸の前記オリゴアミド中間体と、式Ｒ１−ＯＨで表されるモノアルコールとを、
（ａ）次のいずれかである触媒が存在し、
（ｉ）スズ触媒、
（ｉｉ）有機チタネート触媒、
（ｂ）カップリング剤は存在せず、
（ｃ）溶媒も存在しない状態で反応させ、生成物を得ることと、を含む、プロセス。
【請求項１０】
Ｒ１およびＲ１’が互いに異なっており、Ｒ２およびＲ２’が互いに同じである、請求項１に記載のプロセス。
【請求項１１】
前記式のＲ１およびＲ１’のうち、ひとつが、以下の式
【化５】
2012251145.tif 000006
2012251145.tif 000007
であり、ｍは、繰り返し−Ｏ−（ＣＨ２）２−単位の数を表す整数である、請求項１に記載のプロセス。
【請求項１２】
Ｒ２およびＲ２’は、それぞれ式−Ｃ３４Ｈ５６＋ａ−で表される基であり、飽和部および環状基を含んでいてもよい分枝鎖アルキレンであり、ａは、０、１、２、３、４、５、６、７、８、９、１０、１１または１２の整数である、請求項１に記載のプロセス。
【請求項１３】
Ｒ３が−ＣＨ２ＣＨ２−である、請求項１に記載のプロセス。
【請求項１４】
前記生成物が以下の式、
【化６】
2012251145.tif 000008
2012251145.tif 000009
【化７】
2012251145.tif 000010
2012251145.tif 000011
2012251145.tif 000012
【化８】
2012251145.tif 000013
2012251145.tif 000014
を有する、請求項１に記載のプロセス。
【請求項１５】
以下の式で表される化合物を調製するプロセスであって、
【化９】
2012251145.tif 000015
式中、
（ａ）Ｒ１およびＲ１’は、互いに同じであってもよく、互いに異なっていてもよく、
ここで、Ｒ１は、
【化１０】
2012251145.tif 000016
2012251145.tif 000017
【化１１】
2012251145.tif 000018
であり、Ｒ１’はＲ１と同じであるか、
2012251145.tif 000019
2012251145.tif 000020
であり、ｍは、繰り返し−Ｏ−（ＣＨ２）２−単位の数をあらわす整数であり、
（ｂ）Ｒ２およびＲ２’は互いに同じであり、それぞれ式−Ｃ３４Ｈ５６＋ａ−で表される基であり、飽和部および環状基を含んでいてもよい分枝鎖アルキレンであり、ａは、０、１、２、３、４、５、６、７、８、９、１０、１１または１２の整数であり、
（ｃ）Ｒ３は−ＣＨ２ＣＨ２−であり、
（ｄ）ｎは、繰り返しモノマー単位の数を表す、１〜５の数であり、
このプロセスは、
（Ｉ）式ＨＯＯＣ−Ｒ２−ＣＯＯＨで表される二酸と、式Ｈ２Ｎ−Ｒ３−ＮＨ２で表されるジアミンとを反応させ、式ＨＯＯＣ−Ｒ２−ＣＯＮＨ−Ｒ３−ＨＮＣＯ−Ｒ２’−ＣＯＯＨで表される末端が酸のオリゴアミド中間体を得ることと、
（ＩＩ）末端が酸の前記オリゴアミド中間体と、式Ｒ１−ＯＨで表されるモノアルコールとを、
（ａ）ジブチルスズオキシド、ブチルスズ酸、ブチルスズトリス−２−エチルヘキサノエート、ジブチルスズジアセテート、ジブチルスズジラウレート、ジブチルスズビス（２−エチルヘキサノエート）、ジブチルジクロロスタンナン、ブチルトリクロロスタンナン、ジブチルスズジメトキシド、ジブチルスズジブトキシド、ジブチルスズビス（１−チオグリセロール）、モノブチルスズトリクロリド、モノブチルスズトリス（２−エチルヘキシルメルカプトアセテート）、ジブチルスズビス（２−エチルヘキシルメルカプトアセテート）、トリフェニルスズヒドロキシド、ジオクチルスズビス（２−エチルヘキシル−メルカプトアセテート）、第一スズビス（２−エチルヘキサノエート）、酸化スズ、シュウ酸第一スズ、塩化第一スズ、四塩化スズ、ブチルクロロスズジヒドロキシド、テトラ−ｎ−ブチルチタネート、テトライソプロピルチタネート、テトラ−ｎ−プロピルチタネート、テトラ−２−エチルヘキシルチタネート、トリエタノールアミンチタネート、テトライソノニルチタネート、またはこれらの混合物である、スズ触媒または有機チタネート触媒の存在のある状態で、
（ｂ）カップリング剤は存在せず、
（ｃ）前記スズ触媒又は有機チタネート触媒以外の触媒が存在せず、
（ｄ）溶媒も存在しない状態で反応させ、生成物を得ることと、を含む、プロセス。
【請求項１６】
前記触媒が、ジブチルスズオキシド、ブチルスズ酸、ブチルスズトリス−２−エチルヘキサノエート、ジブチルスズジアセテート、ジブチルスズジラウレート、ジブチルスズビス（２−エチルヘキサノエート）、ジブチルジクロロスタンナン、ブチルトリクロロスタンナン、ジブチルスズジメトキシド、ジブチルスズジブトキシド、ジブチルスズビス（１−チオグリセロール）、モノブチルスズトリクロリド、モノブチルスズトリス（２−エチルヘキシルメルカプトアセテート）、ジブチルスズビス（２−エチルヘキシルメルカプトアセテート）、トリフェニルスズヒドロキシド、ジオクチルスズビス（２−エチルヘキシル−メルカプトアセテート）、第一スズビス（２−エチルヘキサノエート）、酸化スズ、シュウ酸第一スズ、塩化第一スズ、四塩化スズ、ブチルクロロスズジヒドロキシド、テトラ−ｎ−ブチルチタネート、テトライソプロピルチタネート、テトラ−ｎ−プロピルチタネート、テトラ−２−エチルヘキシルチタネート、トリエタノールアミンチタネート、テトライソノニルチタネート、またはこれらの混合物である、請求項９に記載のプロセス。
【請求項１７】
末端が酸の前記オリゴアミド中間体１モルあたり、前記スズ触媒が０．０５モル以上１モル以下の相対量で存在する、請求項９に記載のプロセス。
【請求項１８】
このようにして調製された前記化合物は、多分散度が３以下である、請求項９に記載のプロセス。
【請求項１９】
前記生成物が以下の式、
【化１２】
2012251145.tif 000021
2012251145.tif 000022
【化１３】
2012251145.tif 000023
2012251145.tif 000024
2012251145.tif 000025
【化１４】
2012251145.tif 000026
2012251145.tif 000027
を有する、請求項９に記載のプロセス。
【請求項２０】
前記二酸と前記ジアミンとを反応させ、末端が酸の前記オリゴアミド中間体を得る前記反応が、溶媒がない状態で行われる、請求項９に記載のプロセス。